(57)【要約】  【課題】  広告等の情報を提示でき、かつ、広告の汚れや破損を防ぐことができるテーブルを提供する。  【解決手段】  現金取扱装置に装着されるテーブルであって、前記現金取扱装置よりも前方に張り出している天板を含むテーブル本体部と、前記現金取扱装置に装着されるベース部と、を含み、前記天板は、透明な上板と、前記上板の下に配置される下板とを含むテーブル。【選択図】  図１
2018139046.tif 000002
【特許請求の範囲】
【請求項１】
現金取扱装置に装着されるテーブルであって、
前記現金取扱装置よりも前方に張り出している天板を含むテーブル本体部と、
前記現金取扱装置に装着されるベース部と、を含み、
前記天板は、透明な上板と、前記上板の下に配置される下板とを含む
テーブル。
【請求項２】
請求項１に記載のテーブルであって、
前記天板には、内部空間が形成されている
テーブル。
【請求項３】
請求項２に記載のテーブルであって、
前記天板の側面には、前記内部空間に連通する開口が形成されている
テーブル。
【請求項４】
請求項２又は３に記載のテーブルであって、
前記上板には、下面の一部に上面方向に凹入する凹入部が設けられ、
前記内部空間は、前記上板と前記下板との間に形成される
テーブル。
【請求項５】
請求項２に記載のテーブルであって、
前記天板は、前記上板と前記下板との間に挟まれる中板を含み、
前記内部空間は、前記上板と前記中板と前記下板との間に形成される
テーブル。
【請求項６】
請求項５に記載のテーブルであって、
前記中板は、環状である
テーブル。
【請求項７】
請求項６に記載のテーブルであって、
前記中板は、環状の一部を切り抜く切抜き部が設けられている
テーブル。
【請求項８】
請求項５に記載のテーブルであって、
前記中板は、略コの字形状である
テーブル。
【請求項９】
請求項１〜８のいずれか一項に記載のテーブルであって、
前記下板には、上下方向に貫通する溝が設けられている
テーブル。
【請求項１０】
請求項１〜９のいずれか一項に記載のテーブルであって、
前記テーブル本体部は、略コの字形状の台座部を含み、
前記天板は、前記台座部に固定されている
テーブル。
【発明の詳細な説明】
【技術分野】
【０００１】
本発明は、テーブルに関する。
【背景技術】
【０００２】
銀行等の金融機関では、来店したお客様に様々な金融商品に興味を持ってもらうため、商品の広告等をポスターにして壁に張ったり、デジタルサイネージに表示させたりしている。特許文献１のようなテーブルに、広告を貼り付けることも考えられる。
【先行技術文献】
【特許文献】
【０００３】
【特許文献１】特開２０１５−２２５４７２号公報
【発明の概要】
【発明が解決しようとする課題】
【０００４】
しかしながら、テーブルに貼付けされた広告は、荷物が繰り返し載置されることで汚れたり破損したりしてしまう。また、広告をテーブルから剥がすと、粘着剤や接着剤がテーブルに残ってしまうこともある。
【０００５】
本発明の目的は、広告等の情報を提示でき、かつ、広告の汚れや破損を防ぐことができるテーブルを提供することにある。
【課題を解決するための手段】
【０００６】
上記の課題を解決する本発明の一態様は、現金取扱装置に装着されるテーブルであって、前記現金取扱装置よりも前方に張り出している天板を含むテーブル本体部と、前記現金取扱装置に装着されるベース部と、を含み、前記天板は、透明な上板と、前記上板の下に配置される下板とを含む。
【０００７】
上記のテーブルにおいて、前記天板には、内部空間が形成されてもよい。
【０００８】
上記のテーブルにおいて、前記天板の側面には、前記内部空間に連通する開口が形成されてもよい。
【０００９】
上記のテーブルにおいて、前記上板には、下面の一部に上面方向に凹入する凹入部が設けられ、前記内部空間は、前記上板と前記下板との間に形成されてもよい。
【００１０】
上記のテーブルにおいて、前記天板は、前記上板と前記下板との間に挟まれる中板を含み、前記内部空間は、前記上板と前記中板と前記下板との間に形成されてもよい。
【００１１】
上記のテーブルにおいて、前記中板は、環状であってもよい。
【００１２】
上記のテーブルにおいて、前記中板は、環状の一部を切り抜く切抜き部が設けられてもよい。
【００１３】
上記のテーブルにおいて、前記中板は、略コの字形状であってもよい。
【００１４】
上記のテーブルにおいて、前記下板には、上下方向に貫通する溝が設けられてもよい。
【００１５】
上記のテーブルにおいて、前記テーブル本体部は、略コの字形状の台座部を含み、前記天板は、前記台座部に固定されてもよい。
【発明の効果】
【００１６】
本発明によれば、広告等の情報を提示でき、かつ、広告の汚れや破損を防ぐことができるテーブルを提供することができる。
【００１７】
上記した以外の課題、構成、及び効果は、以下の実施形態の説明により明らかにされる。
【図面の簡単な説明】
【００１８】
【図１】本発明の第１の実施形態に係るテーブルの一例を示す斜視図である。
【図２】テーブル本体部の一例の側面図である。
【図３】テーブル本体部の一例の底面図である。
【図４】テーブル本体部の一例の分解斜視図である。
【図５】テーブル本体部の一例の分解正面図である。
【図６】ベース部の一例の側面図である。
【図７】テーブルの一例の側面図である。
【図８】ストッパー板の一例（図７のＡ部）を示す図である。
【図９】テーブル本体部の他の例（第２の実施形態）の側面図である。
【図１０】テーブル本体部の他の例（第２の実施形態）の天板の平面図である。
【図１１】テーブル本体部の他の例（第３の実施形態）の分解斜視図である。
【図１２】テーブル本体部の他の例（第３の実施形態）の天板の平面図である。
【図１３】テーブル本体部の他の例（第３の実施形態の変形例１）の分解斜視図である。
【図１４】テーブル本体部の他の例（第３の実施形態の変形例１）の天板の平面図である。
【図１５】本発明の第１の実施形態係るテーブルの一例の現金取扱装置への装着状態を示す図である。
【発明を実施するための形態】
【００１９】
以下、本発明の実施形態の一例について、図面を参照して説明する。なお、以下では、本発明の各構成について、ユーザーに面する正面側（手前側）方向を前方とし、その反対側の背面側（奥側）方向を後方として説明する。また、各実施形態（変形例を含む）において同様な構成には同様な符号を付してその説明を省略する。
【００２０】
＜第１の実施形態＞
図１は本発明の第１の実施形態に係るテーブル１の斜視図で、図１５はテーブル１の現金取扱装置への装着状態を示す図ある。テーブル１は現金取扱装置Ｃに装着されて使用される。現金取扱装置Ｃは、ユーザーに情報を提示したり、ユーザーが情報を入力したりするための操作部Ｃ１を有する。操作部Ｃ１の下方には前方から開閉可能なドアＣ２が配置され、管理者側の保守時等に利用される。テーブル１は背面側がドアＣ２と当接するように現金取扱装置Ｃに装着される。
【００２１】
図１に示すように、テーブル１は、テーブル本体部１０と、ベース部２０とを含む。テーブル本体部１０は、ベース部２０の前方に、ベース部２０の背面と所定間隔離されて配置される。図１５に示すように、テーブル本体部１０は、現金取扱装置Ｃの操作部Ｃ１よりも前方に張り出してユーザーが手荷物を載置するのに利用される。
【００２２】
図２はテーブル本体部１０の側面図、図３はテーブル本体部１０の底面図である。テーブル本体部１０は、上記のようにユーザーが手荷物を載置する本体部分で、テーブル１の外郭をなす部分である。テーブル本体部１０は、天板１２と、天板１２が固定される台座部１１とを含む。
【００２３】
台座部１１は、正面板１１１と左右に側面板１１２とを有する筐体で、金属製素材等で形成される。台座部１１は平面視略コの字形状に形成され、コの字形状の開口が後方に向かっている。正面板１１１は矩形の板状である。側面板１１２は、四角形の板状であり、上端が水平に伸びて正面板１１１の上端と接続し、下端が後端側から前端側に亘って下方に下がって正面板１１１の下端と接続している。言い換えれば、側面板１１２は、前端の上下幅Ｈ１が後端の上下幅Ｈ２より大きい形状である。ここでは、側面板１１２の下端の傾斜角をα１とする。
【００２４】
図示のように、一対の側面板１１２の上部には、板状の上端補強板１７がそれぞれ設けられる。上端補強板１７は、後述のベース部２０の側面板２２の上端面と交差する位置に設けられる。上端補強板１７を設けることで、天板１２に過度な加重がかかった場合でも、天板１２をより安定的に支持し、天板１２が傾かないようにすることができる。
【００２５】
天板１２は、ユーザーの手荷物が直接載置される板状の部分である。天板１２は、下板１２１と上板１２２とを含む。図４はテーブル本体部１０の分解斜視図で、図５は分解正面図ある。
【００２６】
下板１２１は透明又は不透明の板状である。下板１２１には、例えばアクリル製の板材が用いられる。下板１２１はネジ等の固定手段で上端補強板１７に固定される。
【００２７】
一例として、下板１２１は、４つの角部に下板固定穴１２１１が設けられる。また、下板１２１は、下板固定穴１２１１よりも外側（外周縁に近い位置）に、４つの上板固定穴１２１２が設けられる。図４に示すように、例えば、ネジ４１を下板固定穴１２１１に上方から挿入して下方の上端補強板１７と螺合させることで、下板１２１が台座部１１に固定される。
【００２８】
上板１２２は透明の板状である。上板１２２には、例えばアクリル製の板材が用いられる。上板１２２は、下板１２１の上に載置され、固定される。上板１２２は、４つの角部の下板１２１の上板固定穴１２１２と対応する位置に、それぞれ上板固定穴１２２１が設けられる。
【００２９】
図５に示すように、例えば、ネジ４２を下板の上板固定穴１２１２に下方から挿入して上方の上板１２２の上板固定穴１２２１と螺合させることで、上板１２２が下板１２１に固定される。
【００３０】
広告は、下板１２１と上板１２２との間に挟まれる。具体的には、下板１２１にシート状の広告を配置し、その上に上板１２２を載せてネジ４２で上板１２２を下板１２１に固定する。ユーザーは、上板１２２が透明であるため、上板１２２の下に配置された広告を上板１２２越しに読むことができる。このように構成することで、広告の汚れや破損を防ぐことができる。また、ネジ４２を緩めて上板１２２を外せば広告を取り替えることができるので、接着剤等がテーブルに残る問題も解消できる。
【００３１】
図６はベース部２０の側面図である。ベース部２０は、現金取扱装置に装着される部分である。ベース部２０は、背面板２１と、一対の側面板２２と、取付部２３とを含む。ベース部２０は、金属製素材で形成される。ベース部２０は平面視略コの字形状に形成され、コの字形状の開口が前方に向かっている。
【００３２】
背面板２１は矩形板状である。側面板２２は、上端が水平に伸びて背面板２１の上端と接続し、下端が後端側から前端側に亘って下方に傾斜する形状である。ここでは、側面板２２の下端の傾斜角をα２とする。傾斜角α２は傾斜角α１と同等である。図示のように、側面板２２の上端と背面板２１の上端との接続部にＲ形状を設けてもよい。
【００３３】
取付部２３は、背面板２１の上端に、後方に延出するように接続される。取付部２３は、左右に伸びる有底溝状で、側面視フック状である。取付部２３は、板状の部材を屈曲させて背面板２１と一体に形成されてもよい。取付部２３は、溝状部分の前後幅を現金取扱装置ＣのドアＣ２の厚みよりやや大きく形成され、ドアＣ２を開いて取付部２３の溝状部分をドアＣ２の上端に引っ掛けることによって、ベース部２０が現金取扱装置Ｃに装着される。
【００３４】
取付部２３は、左右幅を背面板２１以上に形成することができるので、テーブル本体部１０に過度な加重が掛った場合もテーブル１全体を支持できる。また、テーブル１の現金取扱装置への装着（取付け）は、取付部２３をドアＣ２に引っ掛けるだけで済むので、現金取扱装置の保守作業等の場合も取り外しやすくなる。
【００３５】
図７は、テーブル１の側面図である。テーブル１は、テーブル本体部１０とベース部２０とが一部重なっている状態にある。
【００３６】
図８はストッパー板を示す図で、図７におけるＡ部の内部構成を示す図である。テーブル本体部１０とベース部２０にはそれぞれ互いに前後方向に向かい合うストッパー板が設けられる。具体的には、テーブル本体部１０の側面板１１２の後端の上下両方にそれぞれ上ストッパー板１３及び下ストッパー板１４が前後方向に直交して設けられ、ベース部２０の側面板２２の外壁面にそれぞれ上ストッパー板２４及び下ストッパー板２５が前後方向に直交して設けられる。上ストッパー板２４及び下ストッパー板２５は、図示のように互いに直角となる二つの板状部分を含んでＬ字形状に形成され、Ｌ字形状の一方の板で側面板２２に固定されてもよい。また、上ストッパー板１３及び下ストッパー板１４の内側にはそれぞれ上ストッパー当てゴム１５及び下ストッパー当てゴム１６（斜線で図示）が設けられてもよい。
【００３７】
図示のように、テーブル本体部１０の上ストッパー板１３とベース部２０の上ストッパー板２４が向かい合って上ストッパー当てゴム１５を介して当接し、テーブル本体部１０の下ストッパー板１４とベース部２０の下ストッパー板２５が向かい合って下ストッパー当てゴム１６を介して当接して、テーブル本体部１０とベース部２０とが一部重なった位置で係止している。このようにストッパー板によって当接するように構成することで、テーブル本体部１０の前方への移動が規制され、テーブル本体部１０がベース部２０から外れなくなる。
【００３８】
また、ストッパー当てゴムを介在させることで、テーブル本体部１０のストッパー板とベース部２０のストッパー板との間の衝撃を和らげて、ストッパー板の損傷を低減することができる。なお、上ストッパー当てゴム１５及び下ストッパー当てゴム１６は、ゴムに限らず、緩衝部材であれば他の素材であってもよい。
【００３９】
なお、一対の上ストッパー板１３、２４及び一対の下ストッパー板１４、２５を設ける例を説明したが、いずれか一方のみを設けてもよい。ストッパー当てゴムも同様である。
【００４０】
また、図３及び図８に示すように、台座部１１の一対の側面板１１２の下部に、ベース部２０の側面板２２の下端面と交差するように板状の下端補強板１８がそれぞれ設けられてもよい。下端補強板１８を設けることで、天板１２に過度な加重がかかった場合も、天板１２をより安定的に支持し、天板１２が傾かないようにすることができる。下端補強板１８は、図示のように、テーブル本体部１０の後端近傍に設けることが望ましい。テーブル本体部１０のベース部２０と重なっている後端部分を支持するためである。
【００４１】
また、図６及び図７に示すように、ベース部２０の背面板２１の外壁面に背面当てゴム２６を設けて、現金取扱装置Ｃとの当接をより密接にするとともに、当接面が傷付くことを防ぐようにしてもよい。なお、背面当てゴム２６は、ゴムに限らず、緩衝部材であれば他の素材であってもよい。
【００４２】
以上本実施形態１に係るテーブルの一例を説明したが、上記説明は本発明を限定するものではない。例えば、テーブル１において、台座部１１は、天板１２を固定できる構成であればよく、上記記載例に限定されない。また、台座部１１を設けずに、天板１２を直接ベース部２０に固定する構成であってもよい。また、ベース部２０は、天板１２を、ユーザーが広告を視認でき且つ荷物の載置に利用できるように現金取扱装置Ｃに装着する構成であればよく、上記記載例に限定されない。
【００４３】
また、テーブル１は、図１に示すように、スライドレール部３０を設けて、テーブル本体部１０が前後方向に移動可能にベース部２０に接続されるようにしてもよい。スライドレール部３０は、ベース部２０の側面板２２と台座部１１の側面板１１２との間に配置される。
【００４４】
＜第２の実施形態＞
第２の実施形態はテーブル本体部の天板１２Ａが第１の実施形態と異なる。図９は第２の実施形態に係るテーブル本体部１０の側面図で、図１０は天板１２Ａの平面図である。
【００４５】
天板１２Ａの上板１２２は、下板１２１と当接する面である下面の一部に、上面方向に凹入する凹入部１２２２が形成される。上板１２２に凹入部１２２２が形成されることによって、天板１２Ａは、図９及び図１０において縦線で図示しているように、上板１２２と下板１２１との間に内部空間Ｓが形成される。
【００４６】
広告は、天板１２Ａのこの内部空間Ｓ内に収容される。広告を収容する内部空間Ｓを設けることで、厚みがやや厚い広告や、表面に凹凸を有する広告の場合でも、上板１２２が傾いたり、ずれたりすることなく、下板１２１に水平に固定される。
【００４７】
凹入部１２２２は、上板１２２のいずれか一方の側面に達していてもよい。ここでは、凹入部１２２２が上板１２２の右側面に達している例を図示している。凹入部１２２２が上板１２２のいずれか一方の側面に達しているため、天板１２Ａにおいてその側面に内部空間Ｓに連通する開口が形成され、この開口からシート状の広告物を挿入して配置したり、取り替えたりすることができるようになる。そのため、固定穴やネジ等の構成を省いて、上板１２２を下板１２１に接着して固定することも可能となる。
【００４８】
また、下板１２１は、内部空間Ｓに通じる溝が設けられてもよい。例えば、図示のように、下板１２１は、上板１２２の凹入部１２２２の少なくとも一部と重なる部分に、下板１２１を上下方向に貫通する溝１２１３が設けられる。溝１２１３は広告よりも小さく形成される。内部空間Ｓに通じる溝１２１３を設けることで、溝に指を通して広告を移動させることができ、適切な位置に広告を配置することができる。
【００４９】
＜第３の実施形態＞
第３の実施形態はテーブル本体部の天板１２Ｂが第１の実施形態と異なる。図１１は第３の実施形態に係るテーブル本体部１０の分解斜視図で、図１１は天板１２Ｂの平面図である。なお、上板１２２は透明であるため、符号による図示を省略している。
【００５０】
天板１２Ｂは、下板１２１と上板１２２との間に、中板１２３を有する。中板１２３は環状に形成される。中板１２３は、下板１２１と上板１２２とに挟まれてネジ等で固定される。例えば、図示のように、中板１２３は、下板１２１の上板固定穴１２１２及び上板１２２の上板固定穴１２２１と対応する位置に、上板固定穴１２３１が設けられる。ネジ４２を下方から順に上板固定穴１２１２、上板固定穴１２３１に挿入してから、上板固定穴１２２１と螺合させることで、中板１２３が上板１２２とともに下板１２１に固定される。
【００５１】
天板１２Ｂは、上板１２２と下板１２１との間に、環状の中板１２３を挟むことで、図１２において縦線で図示しているように、上板１２２と中板１２３（斜線で図示）と下板１２１とで囲まれる内部空間Ｓが形成される。
【００５２】
広告は、この内部空間Ｓに収容される。広告を収容する内部空間Ｓを設けることで、シート状の広告だけでなく、電子ペーパーやディスプレィ等の電子機器を収容することもできる。
【００５３】
また、天板１２Ｂは、厚みや内周形状が異なる中板１２３を複数備えてもよい。これによって、広告の媒体に応じて、中板１２３も適切なものに取り替えることができるようになる。
【００５４】
また、中板１２３は、環状の一部を切り抜く切抜き部１２３２が設けられてもよい。内部空間Ｓ内に収容（格納）する広告媒体が電子機器である場合は、電子機器のケーブル等はこの切抜き部１２３２を通して外部と接続することができる。
【００５５】
また、本実施形態では、天板１２Ｂが固定される台座部１１は上記のように略コの字形状の筐体に形成される。これによって、内部空間Ｓ内に格納されるディスプレィや電子ペーパー等に接続する小型コンピュータは、台座部１１内に収納することができる。
【００５６】
＜第３の実施形態の変形例１＞
第３の実施形態の変形例１では、中板１２３の代わりに中板１２４が用いられる。図１３は変形例１に係るテーブル本体部１０の分解斜視図で、図１４は天板１２Ｃの平面図である。なお、上板１２２は透明であるため、符号による図示を省略している。
【００５７】
中板１２４は、略コの字形状に形成される。中板１２４は、図示のように、下板１２１の上板固定穴１２１２及び上板１２２の上板固定穴１２２１と対応する位置に、上板固定穴１２４１が設けられる。ネジ４２を下方から順に上板固定穴１２１２、上板固定穴１２４１に挿入して、上板固定穴１２２１と螺合させることで、中板１２４が上板１２２とともに下板１２１に固定される。
【００５８】
天板１２Ｃは、上板１２２と下板１２１との間に、コの字形状の中板１２４を挟むことで、図１４において縦線で図示しているように、上板１２２と中板１２４（斜線で図示）と下板１２１とで囲まれる内部空間Ｓが形成される。広告を収容する内部空間Ｓを設けることで、シート状の広告だけでなく、電子ペーパーやディスプレィ等の電子機器を収容することもできる。
【００５９】
また、中板１２４がコの字形状であるため、内部空間Ｓは外部に通じる開口を有し、内部空間Ｓ内に収容（格納）する広告媒体が電子機器である場合は、電子機器のケーブル等はこの開口を通して外部と接続することができる。また、この開口を通して、内部空間Ｓ内に電子機器等を挿入して配置したり、取り替えたりすることもできる。
【００６０】
なお、本発明に係るテーブルは現金取扱装置以外にも適用可能である。
【符号の説明】
【００６１】
１…テーブル、１０…テーブル本体部、１１…台座部、１１１…正面板、１１２…側面板、１２…天板、１２Ａ…天板、１２Ｂ…天板、１２Ｃ…天板、１２１…下板、１２１１…下板固定穴、１２１２…上板固定穴、１２１３…溝、１２２…上板、１２２１…上板固定穴、１２２２…凹入部、１２３…中板、１２３１…上板固定穴、１２３２…切抜き部、１２４…中板、１２４１…上板固定穴、１３…上ストッパー板、１４…下ストッパー板、１５…上ストッパー当てゴム、１６…下ストッパー当てゴム、１７…上端補強板、１８…下端補強板、２０…ベース部、２１…背面板、２２…側面板、２３…取付部、２４…上ストッパー板、２５…下ストッパー板、２６…背面当てゴム、３０…スライドレール部、４１…ネジ、４２…ネジ
【図１】
2018139046.tif 000003
【図２】
2018139046.tif 000004
【図３】
2018139046.tif 000005
【図４】
2018139046.tif 000006
【図５】
2018139046.tif 000007
【図６】
2018139046.tif 000008
【図７】
2018139046.tif 000009
【図８】
2018139046.tif 000010
【図９】
2018139046.tif 000011
【図１０】
2018139046.tif 000012
【図１１】
2018139046.tif 000013
【図１２】
2018139046.tif 000014
【図１３】
2018139046.tif 000015
【図１４】
2018139046.tif 000016
【図１５】
2018139046.tif 000017